(57)【要約】      （修正有）【課題】車両重量計量システムにおける計量データの新規な記録方法を提供する。【解決手段】車両１が停止した状態で載せられて車両の重量を検出する計量台１０と、計量台に停止した状態で載せられた車両を撮影可能な位置に配置された少なくとも１つの画像撮影装置２０と、計量台および画像撮影装置と通信可能に接続され、計量台により検出された車両の重量と、画像撮影装置により撮影された車両の画像とを関連付けて記録する記録動作を行う計量データ記録装置３０と、を備えた、車両重量計量システム１００。【選択図】図１
2015200584.tif 000002
【特許請求の範囲】
【請求項１】
車両が停止した状態で載せられて前記車両の重量を検出する計量台と、
前記計量台に停止した状態で載せられた前記車両を撮影可能な位置に配置された少なくとも１つの画像撮影装置と、
前記計量台および前記画像撮影装置と通信可能に接続され、前記計量台により検出された前記車両の重量と、前記画像撮影装置により撮影された前記車両の画像とを関連付けて記録する記録動作を行う計量データ記録装置と、
を備えた、車両重量計量システム。
【請求項２】
前記計量データ記録装置は、
前記車両を目視できない場所に設置された情報処理装置とネットワーク回線を介して通信可能に接続され、
前記画像撮影装置により撮影された前記車両の画像を前記情報処理装置へと送信し、
前記情報処理装置から受信する前記記録動作の指示を受けて前記記録動作を行うように構成されている、
請求項１に記載の車両重量計量システム。
【請求項３】
前記計量データ記録装置は、前記情報処理装置から前記車両に関連するデータを受信可能に構成され、
前記計量データ記録装置が行う前記記録動作は、前記計量台により検出された前記車両の重量と、前記画像撮影装置により撮影された前記車両の画像と、前記情報処理装置から受信した前記車両に関連するデータとを関連付けて記録する動作である、
請求項２に記載の車両重量計量システム。
【請求項４】
さらに、前記車両を目視できない場所に設置されると共にネットワーク回線を通じて前記計量データ記憶装置と通信可能に接続された情報処理装置を備え、
前記情報処理装置は、
前記画像撮影装置により撮影された前記車両の画像を出力する出力器と、
前記計量データ記録装置に対する前記記録動作の指示を入力するための入力器と、
を備える、請求項１に記載の車両重量計量システム。
【請求項５】
前記入力器は、前記車両に関連するデータを入力可能に構成されており、
前記計量データ記録装置が行う前記記録動作は、前記計量台により検出された前記車両の重量と、前記画像撮影装置により撮影された前記車両の画像と、前記入力器を介して入力された前記車両に関連するデータとを関連付けて記録する動作である、
請求項４に記載の車両重量計量システム。
【請求項６】
複数の前記画像撮影装置を備え、
前記複数の画像撮影装置は、前記車両およびその周辺を監視可能な複数の異なる位置にそれぞれ配置されている、
請求項２ないし５のいずれかに記載の車両重量計量システム。
【請求項７】
計量台の上に停止した状態で載置された車両の重量を計量台を用いて検出するステップと、
前記計量台の上に停止した状態で載置された前記車両の画像を撮影するステップと、
前記車両の重量と前記車両の画像とを関連付けて記録するステップと、
を備える、車両重量計量方法。
【請求項８】
前記車両を目視できない場所において前記画像を出力するステップと、
前記場所において前記画像を出力した状態で、前記記録するステップを実行する旨の指示を受け付けるステップと、
を備える、請求項７に記載の車両重量計量方法。
【請求項９】
前記車両に関連するデータの入力を受け付けるステップを備え、
前記記録するステップは、前記車両の重量と前記車両の画像と前記車両に関連するデータとを関連付けて記録するステップである、
請求項７または８に記載の車両重量計量方法。
【発明の詳細な説明】
【技術分野】
【０００１】
本発明は、車両重量計量システムおよび車両重量計量方法に関する。
【背景技術】
【０００２】
特許文献１は、リサイクル資源の荷受や出荷を業務とする事業所に設置され、荷受や出荷時のリサイクル資源の重量を、リサイクル資源を積載したトラックごと計量するリサイクル資源荷受・出荷時計量システムにおいて、荷受又は出荷時に計量を行うトラックの状態を目視確認可能な場所に設置されるオペレーションルームと、該オペレーションルーム内に設けられるオペレータ端末と、トラックが載ることによってトラックの重量を計量し、計量によって取得された重量データを該オペレータ端末に送信するトラックスケールシステムと、該トラックスケールシステムのトラックが載るエリアを撮影し、撮影によって撮影画像データを取得する第１撮像装置及び第２撮像装置と、トラックのナンバープレートに係る車番データとトラックの所属先等に係る所属先等データとを関連づけたデータを記憶する車輌マスタと、該第１撮像装置及び該第２撮像装置によって取得された撮影画像データを受信し、撮影画像データに基づいてトラックスケールシステム上のトラックの車番データを認識すると共に、認識された車番データによって車輌マスタを検索し該当する所属先等データを取得し、車番データと所属先等データとを該オペレータ端末に送信する車輌認識システムと、からなり、該オペレータ端末は、該トラックスケールシステムから受信した重量データと、該車輌認識システムから受信した車番データと所属先等データとを対応づけて表示することを特徴とするリサイクル資源荷受・出荷時計量システムを開示する（請求項２）。
【先行技術文献】
【特許文献】
【０００３】
【特許文献１】特開２００９−０４３１１３号公報
【発明の概要】
【発明が解決しようとする課題】
【０００４】
本発明は、車両重量計量システムにおける計量データの新規な記録方法を提供することを目的の一つとする。
【課題を解決するための手段】
【０００５】
本発明による車両重量計量システムの一態様は、車両が載せられて前記車両の重量を検出する計量台と、前記計量台に乗せられた前記車両を撮影可能な位置に配置された少なくとも１つの画像撮影装置と、前記計量台および前記画像撮影装置と通信可能に接続され、前記計量台により検出された前記車両の重量と、前記画像撮影装置により撮影された前記車両の画像とを関連付けて記録する記録動作を行う計量データ記録装置と、を備える。
【０００６】
本発明による車両重量計量方法の一態様は、計量台を用いて停止した状態の車両の重量を検出するステップと、前記計量台の上に停止した状態で載置された前記車両の画像を撮影するステップと、前記車両の重量と前記車両の画像とを関連付けて記録するステップと、を備える。
【発明の効果】
【０００７】
本発明の一態様によれば、車両重量計量システムにおいて、計量データの新規な記録方法を提供できるという効果を奏する。
【図面の簡単な説明】
【０００８】
【図１】図１は、第１実施形態にかかる車両重量計量システムの概略構成の一例を示す概念図である。
【図２】図２は、第１実施形態にかかる車両重量計量システムにおけるデータ記録方法の一例を示す概念図である。
【図３】図３は、第２実施形態にかかる車両重量計量システムの概略構成の一例を示す概念図である。
【図４】図４は、第３実施形態にかかる車両重量計量システムの概略構成の一例を示す概念図である。
【図５】図５は、実施例にかかる車両重量計量システムにおける操作画面の一例を示す図である。
【図６】図６は、実施例にかかる車両重量計量システムにおいて車両画像が拡大された状態の操作画面の一例を示す図である。
【図７】図７は、実施例にかかる車両重量計量システムにおけるデータ記録方法を示す概念図である。
【図８】図８は、実施例にかかる車両重量計量システムにおける計量方法の一例を示すフローチャートである。
【図９】図９は、実施例にかかる車両重量計量システムが発行する伝票の一例を示す図である。
【発明を実施するための形態】
【０００９】
本発明者らは、車両重量計量システムにおける計量データの新規な記録方法を提供すべく、鋭意検討を行った。その結果、以下の知見を得た。
【００１０】
特許文献１に開示されたリサイクル資源荷受・出荷時計量システムでは、トラックスケールシステムから受信した重量データと、車輌認識システムから受信した車番データと所属先等データとを対応づけて表示する構成が開示されている。そこで、車両重量計量システムにおける計量データの新規な記録方法として、車両番号（ナンバープレートの番号）等と計量データとを関連付けて記録することが考えられる。
【００１１】
しかしながらかかる方法では、車両番号を入力する際の人的ミスや、車輌認識システムがナンバープレートを自動的に解析して認識する際のエラー等によって、データ自体の信頼性が不十分であり、結果として計量データのトレーサビリティが不十分になりやすいとの課題が存在する。
【００１２】
本発明者らは、計量台の上に載せられた車両を撮影して得られる画像データを、計量データと関連付けて記録することに想到した。かかる方法では、車両の画像データがそのまま計量データと関連づけて記録されることから、例えば、人的ミスや車両認識システムのエラーによりデータの正確性が損なわれる危険性が低減され、計量データの信頼性が飛躍的に向上される。車両の画像データと計量データとが関連付けられて記録されることにより、計量データのトレーサビリティが飛躍的に向上される。
【００１３】
以下、実施形態について、添付図面を参照しつつ説明する。なお、各図に示されている、各構成物の形状、大きさ、および、位置関係は、あくまで例であって、それらは図示された態様に限定されるものではない。
【００１４】
（第１実施形態）
第１実施形態の車両重量計量システムは、車両が停止した状態で載せられて車両の重量を検出する計量台と、計量台に停止した状態で載せられた車両を撮影可能な位置に配置された少なくとも１つの画像撮影装置と、計量台および画像撮影装置と通信可能に接続され、計量台により検出された車両の重量と、画像撮影装置により撮影された車両の画像とを関連付けて記録する記録動作を行う計量データ記録装置と、を備える。
【００１５】
第１実施形態の車両重量計量方法は、計量台の上に停止した状態で載置された車両の重量を計量台を用いて検出するステップと、計量台の上に停止した状態で載置された車両の画像を撮影するステップと、車両の重量と車両の画像とを関連付けて記録するステップと、を備える。
【００１６】
かかる構成では、人的ミスや車両認識システムのエラーによりデータの信頼性が損なわれる危険性を低減しつつ、計量データのトレーサビリティを飛躍的に向上できる。
【００１７】
［装置構成］
図１は、第１実施形態にかかる車両重量計量システムの概略構成の一例を示す概念図である。以下、図１を参照しつつ、第１実施形態にかかる車両重量計量システム１００について説明する。
【００１８】
図１に例示されているように、車両重量計量システム１００は、計量台１０と、少なくとも１つの画像撮影装置２０と、計量データ記録装置３０と、を備えている。
【００１９】
計量台１０は、停止した状態で計量台１０に載せられた車両１の重量を検出する。具体的には例えば、計量台１０は複数のロードセルを備え、該ロードセルによって車両１の重量を検出してもよい。この場合において、計量台１０は、ロードセルの出力をそのまま計量データ記録装置３０へと送り、計量データ記録装置３０が受け取った出力を用いて車両１の重量を演算してもよい。あるいは例えば、計量台１０がロードセルの出力を用いて車両１の重量を演算し、求められた重量を計量データ記録装置３０へと送ってもよい。計量台１０の具体的構成としては、公知の構成を適宜採用しうるので、詳細な説明を省略する。
【００２０】
車両１は、例えば、トラック、コンテナ運搬車、ゴミ収集車、乗用車、鉄道車両等が含まれうる。車両１は、貨物運搬用車両であってもよい。
【００２１】
画像撮影装置２０は、計量台１０に停止した状態で載せられた車両１を撮影可能な位置に配置されている。画像撮影装置２０は、計量台１０の上に停止した状態で載置された車両１の画像を撮影する。具体的には例えば、画像撮影装置２０は、デジタルスチルカメラ、デジタルビデオカメラ、ＣＣＤ撮像装置、および、アナログの監視用カメラ等を適宜用いることができる。画像は、静止画であってもよいし、動画であってもよい。画像撮影装置２０は、可視光を用いて画像を撮影してもよい。
【００２２】
画像撮影装置２０は、計量データ記録装置３０と、通信可能に接続されている。画像撮影装置２０は、撮影した画像データを計量データ記録装置３０へと送る。画像撮影装置２０がアナログの画像データを出力する場合には、計量データ記録装置３０においてデジタルデータへの変換が行われてもよい。画像撮影装置２０は、固定式でもよいし、可動式でもよい。
【００２３】
計量データ記録装置３０は、計量台１０および画像撮影装置２０と通信可能に接続され、計量台１０により検出された車両１の重量と、画像撮影装置２０により撮影された車両１の画像とを関連付けて記録する記録動作を行う。具体的には例えば、計量データ記録装置３０は、演算処理部（図示せず）と、制御プログラムを記憶する記憶部（図示せず）と、計量台１０および画像撮影装置２０と通信する通信部（図示せず）と、を備える。演算処理部としては、ＭＰＵ、ＣＰＵが例示される。記憶部としては、メモリーが例示される。通信部としては、ケーブル接続を用いた通信部、無線接続を用いた通信部等が例示される。計量データ記録装置３０は、集中制御を行う単独の制御器で構成されていてもよく、互いに協働して分散制御を行う複数の制御器で構成されていてもよい。
【００２４】
車両１の重量は、例えば、計量台１０から入力された信号値がそのまま記録されてもよいし、車両１の重量値に変換されて記録されてもよい。
【００２５】
車両１の画像は、例えば、ＪＰＥＧ、ＢＭＰ等のファイル形式で記録されてもよい。車両１の画像は、ＯＣＲ等により車両番号等の非画像データへと変換された数値データではなく、画像データである。車両１の画像は、画像撮影装置２０から入力されたデータがそのまま記録されてもよいし、例えば、車両中の所定の部位（例えば、ナンバープレート部分）のみが切り出されて記録されてもよい。車両１の画像が画像データとしてそのまま記録されるため、例えば、車両番号を入力する際の人的ミスや、ＯＣＲ等により車両番号を認識する際の車両認識システムのエラー等は発生しない。
【００２６】
［データ記録方法］
図２は、第１実施形態にかかる車両重量計量システムにおけるデータ記録方法の一例を示す概念図である。
【００２７】
車両重量５は、計量台１０の上に停止した状態で載置された車両１の重量であって、計量台１０を用いて検出される。車両画像３は、計量台１０の上に停止した状態で載置された車両１を撮影することで得られる画像である。
【００２８】
演算処理部３２は、車両重量５と車両画像３とを関連付けて、記憶部３４に記録する。関連付けの具体的な方法は特に限定されない。記録されている重量と画像とが、同一車両のものであることが判別できればよい。例えば、図７の計量データに含まれる、「年月日」と「回数」の組合せをキー（識別特徴）として計量データを識別することができる。回数は、日毎にリセットされ、計量する度に１が加算されるものとすることができる。すなわち、回数は、その日の何回目の計量であるかを示す数字とすることができる。
【００２９】
図７に示す例では、「年月日」が「20131201」、「回数」が「101」となっていることから、例えばこれを組み合わせた「201312010101」をキーとすることができる。データベースの計量データテーブルに、車両重量を含む１回分の計量データ（１レコード）を、該キーと共に登録してもよい。あるいは、例えば、「201312010101.txt」と名前付けられたテキストファイルに計量データを記録してもよい。
【００３０】
計量完了時の車両画像３は、例えば、「キー.jpg」と名前付けされた画像ファイルとして保存することができる。この場合には、図７に示す例では、ファイル名が「201312010101.jpg」となる。
【００３１】
このように、テーブルまたはファイルに記録された計量データと、計量完了時の写真とを、「キー」で関連付けることができる。
【００３２】
本実施形態の車両重量計量システム１００によれば、車両の画像データがそのまま計量データと関連づけて記録されることから、人的ミスや車両認識システムのエラーによりデータの正確性が損なわれる危険性が低減され、計量データの信頼性が飛躍的に向上される。車両の画像データと計量データとが関連付けられて記録されることにより、計量データのトレーサビリティが飛躍的に向上される。
【００３３】
なお、車両１の画像が記録される構成に加えて、ＯＣＲ等により車両番号等を自動認識する車両認識システムを備えていてもよい。その場合でも、計量データ記録装置３０により車両の重量と車両の画像とが関連付けられて記録されることで、人的ミスや車両認識システムのエラーによりデータの信頼性が損なわれる危険性を低減することができる。
【００３４】
（第２実施形態）
第２実施形態の車両重量計量システムは、第１実施形態の車両重量計量システムにおいて、計量データ記録装置が、車両を目視できない場所に設置された情報処理装置とネットワーク回線を介して通信可能に接続され、画像撮影装置により撮影された車両の画像を情報処理装置へと送信し、情報処理装置から受信する記録動作の指示を受けて記録動作を行うように構成されている。
【００３５】
第２実施形態の車両重量計量システムは、第１実施形態の車両重量計量システムにおいて、さらに、車両を目視できない場所に設置されると共にネットワーク回線を通じて計量データ記憶装置と通信可能に接続された情報処理装置を備え、情報処理装置は、画像撮影装置により撮影された車両の画像を出力する出力器と、計量データ記録装置に対する記録動作の指示を入力するための入力器と、を備える。
【００３６】
第２実施形態の車両重量計量方法は、第１実施形態の車両重量計量方法であって、さらに、車両を目視できない場所において該画像を出力するステップと、該場所において該画像を出力した状態で、記録するステップを実行する旨の指示を受け付けるステップと、を備える。
【００３７】
かかる構成では、操作者が、車両から離れた場所にいながらにして、画像撮影装置により撮影された車両の画像を確認しながら記録動作を指示することが可能となる。よって、計量データの信頼性とトレーサビリティをさらに向上できる。
【００３８】
上記車両重量計量システムにおいて、計量データ記録装置は、情報処理装置から車両に関連するデータを受信可能に構成され、計量データ記録装置が行う記録動作は、計量台により検出された車両の重量と、画像撮影装置により撮影された車両の画像と、情報処理装置から受信した車両に関連するデータとを関連付けて記録する動作であってもよい。
【００３９】
上記車両重量計量システムにおいて、入力器は、車両に関連するデータを入力可能に構成されており、計量データ記録装置が行う記録動作は、計量台により検出された車両の重量と、画像撮影装置により撮影された車両の画像と、入力器を介して入力された車両に関連するデータとを関連付けて記録する動作であってもよい。
【００４０】
上記車両重量計量方法は、車両に関連するデータの入力を受け付けるステップを備え、記録するステップは、車両の重量と車両の画像と車両に関連するデータとを関連付けて記録するステップであってもよい。
【００４１】
かかる構成では、操作者が車両に関連するデータを入力し、これを車両の重量と関連付けて記録することが可能となる。よって、計量データのトレーサビリティがさらに向上する。
【００４２】
図３は、第２実施形態にかかる車両重量計量システムの概略構成の一例を示す概念図である。以下、図３を参照しつつ、第２実施形態にかかる車両重量計量システム２００について説明する。
【００４３】
情報処理装置４０は、車両１を目視できない場所に設置されると共にネットワーク回線５０を通じて計量データ記憶装置３０と通信可能に接続されている。情報処理装置４０は、出力器４２と入力器４４とを備えている。情報処理装置４０は、具体的には例えば、パソコン等とすることができる。この場合には例えば、操作者が自分の使い慣れたパソコンを使って計量操作をすることが可能となる。
【００４４】
車両１を目視できない場所とは、例えば、野外において計量台１０が設置されている場所を計量スペースとするとき、該計量スペースから少し離れた事務室の屋内スペース、および、遠隔地にある管理室等とすることができる。
【００４５】
出力器４２は、画像撮影装置２０により撮影された車両１の画像を出力する。出力器４２は、具体的には例えば、パソコンのディスプレイ等とすることができる。出力器４２は、車両１を目視できない場所において、車両１の画像を出力する。出力器４２は、該画像をリアルタイムで表示してもよい。
【００４６】
入力器４４は、計量データ記録装置３０に対する記録動作の指示の入力を受け付ける。入力器４４は、具体的には例えば、パソコンのキーボード及びマウス等とすることができる。入力器４４は、車両１を目視できない場所において、車両１の画像を出力した状態で、記録動作の指示を受け付ける。ここでいう記録動作とは、計量台１０により検出された車両１の重量と、画像撮影装置２０により撮影された車両１の画像とを、関連付けて記録する動作をいう。
【００４７】
操作者により入力器４４を介して記録動作の指示が入力されると、情報処理装置４０から計量データ記録装置３０へと指示が送信される。該信号を受けて、計量データ記録装置３０は、計量台１０により検出された車両１の重量と、画像撮影装置２０により撮影された車両１の画像とを、関連付けて記録する記録動作を行う。
【００４８】
入力器４４は、車両に関連するデータを入力可能に構成されていてもよい。車両に関連するデータとしては、例えば、計量が行われた年月日、計量が行われた時刻、計量が行われた回数、車両番号（車番）、業者名称、品種名称、出荷／入荷等の別、出荷先／入荷元、風袋重量、正味重量等が挙げられる。
【００４９】
出力器４２と入力器４４とは、ディスプレイとキーボードのように別箇に構成されていてもよいし、タッチパネルのように一体に構成されていてもよい。
【００５０】
計量データ記録装置３０が行う記録動作は、計量台１０により検出された車両１の重量と、画像撮影装置２０により撮影された車両１の画像と、入力器４４を介して入力された車両１に関連するデータとを関連付けて記録する動作であってもよい。
【００５１】
ネットワーク回線５０は、例えば、有線回線および無線回線等とすることができる。
【００５２】
なお、情報処理装置４０は、車両重量計量システム２００の一部であってもよいし、車両重量計量システム２００の一部でなくてもよい。ネットワーク回線は、車両重量計量システム３００の一部であってもよいし、車両重量計量システム３００の一部でなくてもよい。
【００５３】
以上の点を除き、車両重量計量システム２００は、第１実施形態の車両重量計量システム１００と同様の構成とすることができる。よって、第１実施形態（図１）と第２実施形態（図３）とで共通する構成要素については、同一の符号および名称を付して詳細な説明を省略する。
【００５４】
図３に示す例において、画像撮影装置２０は、計量データ記録装置３０を介してネットワーク回線５０に接続されているが、画像撮影装置２０は、ネットワーク回線５０に直接接続されていてもよい。
【００５５】
第２実施形態においても第１実施形態と同様の変形が可能である。
【００５６】
（第３実施形態）
第３実施形態の車両重量計量システムは、第２実施形態の車両重量計量システムにおいて、車両およびその周辺を監視可能な複数の異なる位置にそれぞれ配置されている、複数の画像撮影装置を備えてもよい。
【００５７】
かかる構成では、操作者が、車両から離れた場所にいながらにして、車両の状態を確認しながら計量操作を行うことができる。よって、計量データの信頼性とトレーサビリティをさらに向上できる。
【００５８】
図４は、第３実施形態にかかる車両重量計量システムの概略構成の一例を示す概念図である。以下、図４を参照しつつ、第４実施形態にかかる車両重量計量システム４００について説明する。
【００５９】
図４に示す例において、車両重量計量システム４００は２個の画像撮影装置２０、２２を備えている。画像撮影装置２０、２２は、車両１およびその周辺を監視可能な複数の異なる位置にそれぞれ配置されている。画像撮影装置２０、２２は、車両１およびその周辺の画像を撮影し、計量データ記録装置３０と情報処理装置４０とへ送る。なお、画像撮影装置の個数は２個に限定されず、３個以上であってもよい。
【００６０】
出力器４２は、画像撮影装置２０、２２から送られた画像を出力する。出力器４２は、該画像をリアルタイムで表示してもよい。
【００６１】
操作者は、出力器４２に表示されている複数の画像を確認しながら、入力器４４を介して記録動作の指示を入力することができる。記録動作の指示が入力されると、情報処理装置４０から計量データ記録装置３０へと指示が送信される。該信号を受けて、計量データ記録装置３０は、計量台１０により検出された車両１の重量と、画像撮影装置２０により撮影された車両１の画像とを、関連付けて記録する記録動作を行う。このとき、記録される画像は、画像撮影装置２０、２２の両方から送られた複数の画像であってもよいし、画像撮影装置２０、２２のいずれか一方から送られた１個の画像であってもよい。
【００６２】
以上の点を除き、車両重量計量システム３００は、第１実施形態の車両重量計量システム１００と同様の構成とすることができる。よって、第１実施形態（図１）と第２実施形態（図３）とで共通する構成要素については、同一の符号および名称を付して詳細な説明を省略する。
【００６３】
第３実施形態の構成では、例えば計量動作時に不正が行われていないことを確認した上で、記録動作を指示することができる。よって、計量データの信頼性とトレーサビリティをさらに向上できる。
【００６４】
なお、情報処理装置４０は、車両重量計量システム３００の一部であってもよいし、車両重量計量システム３００の一部でなくてもよい。ネットワーク回線は、車両重量計量システム３００の一部であってもよいし、車両重量計量システム３００の一部でなくてもよい。
【００６５】
第３実施形態においても第２実施形態と同様の変形が可能である。
【００６６】
（実施例）
車両を被計量物として載置するための載台と、載台上の荷重を検出する荷重検出器（ロードセル等）とを備える多くの計量システムには、当該荷重検出器が出力する荷重信号を処理することで、被計量物の重量を演算して表示する指示計（Data Processor）が設けられている。従来の計量システムが備える指示計は、指示計自体が備える操作画面等（タッチパネル等）に直接手を触れて操作する。しかしながら、本実施例のように、遠隔地にある監視室から計量機の本体（載台）の状態をモニター可能とすることで、計量データの信頼性とトレーサビリティを向上できる。
【００６７】
また、車両番号等を記録したカードを遠隔地にあるカードリーダに差し込んで遠隔操作することも考えられるが、扱える情報が少ない。
【００６８】
本実施例の車両重量計量システムは、指示計を直接操作できなくても、遠隔の端末からネットワーク回線（ＬＡＮ回線、インターネット回線等）を介して計量操作が行われる。車両が載せられた載台およびその周囲の状況は、近傍に設置されたネットワークカメラから送られる画像により確認することができる。
【００６９】
図５は、実施例にかかる車両重量計量システムにおける操作画面の一例を示す図である。図６は、実施例にかかる車両重量計量システムにおいて車両画像が拡大された状態の操作画面の一例を示す図である。図７は、実施例にかかる車両重量計量システムにおけるデータ記録方法を示す概念図である。
【００７０】
実施例にかかる車両重量計量システムの構成は、計量台１０を載台とし、画像撮影装置２０、２２をネットワークカメラとし、計量データ記録装置３０を指示計とし、情報処理４０をパソコンとする他は、図４と同様とすることができる。よって、システム構成に関する詳細な説明は省略する。
【００７１】
本実施例の車両重量計量システムは、以下の特徴を備える。
（１）載台の近傍にはネットワークカメラが設置される。計量室には指示計が設置される。事務室にはパソコンが設置される。ネットワークカメラと指示計とパソコンとは、ネットワーク回線により接続される。
（２）計量室に設置された指示計の画面（図５）には、載台の近傍に設置されたネットワークカメラからの画像が表示される。図５の右上にある画像をクリックすることで、図６のようにネットワークカメラからの画像が拡大表示される。計量室にいるオペレータは、載台の状態（トラックの有無等）を確認しながら、計量操作を行うことができる。計量操作とは、例えば、車両番号や業者の情報、積載物の情報等、計量対象の情報を入力して、入力データと計量値とを組み合わせて計量データとして確定し、これを指示計に記録及び伝票印字させる一連の操作を意味する。
（３）計量室の指示計の画面は、事務所に設置されたパソコンのブラウザ上に表示される。同画面には、載台の近傍に設置されたネットワークカメラの画像も表示される。事務室にいるオペレータは、載台の状態（トラックの有無等）を確認しながら、計量操作を行うことができる。計量室まで実際に行かなくても、事務所のパソコンを介して計量操作を行うことができる。
（４）事務室のオペレータが計量完了操作を行うと、指示計の計量処理プログラムにより、車両の重量が求められる。車両重量は、カメラの画像と関連づけられて、写真記録用フォルダとデータベースに記録される。計量完了操作とは、例えば、入力データと計量値を確定させて、画像データと共に指示計に記録及び伝票印字させる操作をいう。
（５）記録動作が完了すると、指示計または事務所のパソコンにより伝票が発行される。図９は、実施例にかかる車両重量計量システムが発行する伝票の一例を示す図である。
【００７２】
図８は、実施例にかかる車両重量計量システムにおける計量方法の一例を示すフローチャートである。以下、図８を参照しつつ、実施例の車両重量計量方法について説明する。
【００７３】
車両重量の計量作業が開始すると（スタート）、運転手は、車両の全体を載台に乗り込ませて停止させる（ステップＳ１）。
【００７４】
次に、計量室のオペレータは、カメラからの画像を確認しつつ、指示計に伝票内容を入力する（ステップＳ２）。なお、オペレータが事務室にいる場合には、カメラからの画像をパソコン上で確認しつつ、パソコンに伝票内容が入力されてもよい。
【００７５】
次に、計量室のオペレータは、カメラからの画像を確認して異常がないことを確認した上で、指示計により計量完了操作を行う（ステップＳ３）。なお、オペレータが事務室にいる場合には、カメラからの画像をパソコン上で確認しつつ、パソコンを用いて計量完了操作が行われてもよい。
【００７６】
次に、指示計は、重量検出信号が安定するのを待って、計量値を確定させる（ステップＳ４）。
【００７７】
次に、指示計は、カメラからの画像を写真として取り込む（ステップＳ５）。
【００７８】
次に、指示計は、伝票内容と計量値と写真とを関連付けて計量実績として記録する（ステップＳ６）。
【００７９】
次に、指示計は、伝票を発行する（ステップＳ７）。伝票（図９）には、伝票内容と共に、計量時の載台周辺の状態を示す画像も含まれる。伝票発行が完了すると、発車ＯＫを示す信号灯が点灯される。
【００８０】
次に、運転手は、発車ＯＫを示す信号灯が点灯されたことを確認して、車両を載台から退出させ（ステップＳ８）、計量作業が完了する。
【００８１】
ステップＳ４からステップＳ７までが指示計が行う処理である。
【００８２】
かかる構成により、便利な車両重量計測システムを提供できる。パソコンに計量情報が集約できるので、管理が正確でかつ容易となる。
【００８３】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造および／又は機能の詳細を実質的に変更できる。
【産業上の利用可能性】
【００８４】
本発明の一態様は、車両重量計量システムにおける計量データの新規な記録方法およびこれを実行する車両重量計量システムとして有用である。
【符号の説明】
【００８５】
１  車両
３  車両画像
５  車両重量
１０  計量台
２０  画像撮影装置
２２  画像撮影装置
３０  計量データ記録装置
３２  演算処理部
３３  計量処理プログラム
３４  記憶部
３５  写真記録用フォルダ／データベース
４０  情報処理装置
４２  出力器
４４  入力器
５０  ネットワーク回線
１００  車両重量計量システム
２００  車両重量計量システム
３００  車両重量計量システム
【図１】
2015200584.tif 000003
【図２】
2015200584.tif 000004
【図３】
2015200584.tif 000005
【図４】
2015200584.tif 000006
【図５】
2015200584.tif 000007
【図６】
2015200584.tif 000008
【図７】
2015200584.tif 000009
【図８】
2015200584.tif 000010
【図９】
2015200584.tif 000011